(57)【要約】【課題】本発明は眉毛を剃ったり抜いたりする際に使用する眉線修正補助具であって、補助具を確実に固定することができ、修正後の両方の眉線をあらかじめ確認しながら眉線を修正できる眉線修正補助具を提供することを目的とする。また、眉の下線も補助具によって修正することができると共に、従来の補助具では全くすることのできなかった眉尻の修正もすることができる補助具を提供することを目的とする。【解決手段】眉線を修正するときに眉に宛がう眉線修正補助具であって、一対の眉形部が両側に延び、該眉形部は眉毛の上縁に該当する基準上縁部と眉毛の下縁に該当する基準下縁部とを有している。【選択図】  図１
2004236969.tif 000002
【特許請求の範囲】
【請求項１】
眉線を修正するときに眉に宛がう眉線修正補助具であって、一対の眉形部が両側に延び、該眉形部は眉毛の上縁に該当する基準上縁部と眉毛の下縁に該当する基準下縁部とを有していることを特徴とする眉線修正補助具
【請求項２】
両眉形部は、それぞれ眉尻まで片持ち状に延びている請求項１記載の眉線修正補助具
【請求項３】
眉線を修正するときに眉に宛がう眉線修正補助具であって、少なくとも１つの眉形部を備え、該眉形部は眉毛の上縁に該当する基準上縁部と眉毛の下縁に該当する基準下縁部とを有しており、前記基準上縁部と基準下縁部の少なくとも一方の基準縁部に沿った内面に複数の突部が設けられている眉線修正補助具
【請求項４】
眉線を修正するときに眉に宛がう眉線修正補助具であって、少なくとも１つの眉形部を備え、該眉形部は眉毛の上縁に該当する基準上縁部と眉毛の下縁に該当する基準下縁部とを有しており、前記基準上縁部と基準下縁部の少なくとも一方の基準縁部の表面は眉形部の内面に対して直角よりも小さい角度をなすように傾斜している眉線修正補助具
【請求項５】
眉線修正補助具はハンドルを備え、眉形部を眉に宛がったときに、顔から離れる方向にハンドルが延びている請求項１乃至請求項４記載の眉線修正補助具
【請求項６】
眉形部とハンドルとの境目付近で前記眉形部の内面とハンドルとのなす角度がほぼ直角である請求項５記載の眉線修正補助具
【請求項７】
眉形部とハンドルとの境にリブが設けられ、該リブは一対の眉形部の中央に位置している請求項５又は請求項６記載の眉線修正補助具
【請求項８】
眉形部はその内面が凹の湾曲をなすように延在している請求項１乃至請求項７記載の眉線修正補助具
【請求項９】
眉形部内面の幅方向の中央付近に突起状の目盛が設けられ、該目盛は眉形部の長さ方向に複数個設けられており、且つ目盛の高さは前記突部の高さよりも低い請求項１乃至請求項８記載の眉線修正補助具
【発明の詳細な説明】
【０００１】
【発明の属する技術分野】
本発明は眉の線をかみそりや毛抜き等を用いて整えるときに使用する眉線修正補助具に関する。
【０００２】
【従来の技術】
眉線を簡便に整える方法として従来からある方法は、眉描き用補助具を用いて眉用鉛筆で眉線を描く方法が一般的である（例えば、特許文献１参照。）。また、眉用鉛筆で眉線を描いた後に、その線に沿って余分な眉毛を取り除く方法も提案されている（例えば、特許文献２参照。）。
【０００３】
【特許文献１】
特開平９−２３８７４４号公報
【特許文献２】
実用新案登録第３０２４４４１号公報（明細書、実施例）
【０００４】
【発明が解決しようとする課題】
特許文献１及び特許文献２に開示されている補助具は、眉用鉛筆で眉線を描くときに使用される器具であって、その補助具を眉に宛がって眉毛を剃ったり抜いたりするものではない。眉用鉛筆で眉線を描く作業は短時間であり、補助具が鉛筆から受ける負荷も小さい。したがって、補助具を眉に軽く添えるようにして使用することができる。
【０００５】
特許文献１は、全体がＶ字形に形成されたハンドルの上端に眉形基板を設けたものであって、眉形基板の両端がハンドルによって支持されている。したがって、眉山付近を鉛筆で描くことに適しているが、眉尻を描くことができない。このような補助具で眉毛を剃ったり抜いたりするときは、眉形基板の眉尻を支持しているハンドルの上端が邪魔になって、かみそりや毛抜きを使用することができない。さらに、眉形基板は片方の眉用であって、片方の眉ごとに眉線を描くので補助具によって全体的な眉の状態を見ることができないから、左右の眉の形が整わない虞もある。鉛筆で眉線を描くのであれば不一致であっても描き直しができるが、眉毛を剃ってしまった後では修正がきかない。
【０００６】
特許文献２は、眉線補正器具が眼鏡と同じような形状に形成されていて、眼鏡と同じように顔に宛がって使用するものである。この補正器具は左右一対の眉線が設けられているが、眼鏡のように両目付近を全体的に覆ってしまうので補正後の眉全体の形状を把握しずらいし、眉の下線を修正することができない。また、補正器具の顔への固定手段が補正器具の弾力性を利用して顔を挟むように固定するものであるから不安定であって、かみそりや毛抜きなどを使用するときは補正器具が動いてしまうのである。
【０００７】
そこで、本発明は眉毛を剃ったり抜いたりする際に補助具を確実に固定することができ、修正後の両方の眉線をあらかじめ確認しながら眉線を修正できる眉線修正補助具を提供することを目的とする。また、眉の下線も補助具によって修正することができると共に、従来の補助具では全くすることのできなかった眉尻の修正もすることができる補助具を提供することを目的とする。
【０００８】
【課題を解決するための手段】
本発明の請求項１は、一対の眉形部が両側に延び、該眉形部は眉毛の上縁に該当する基準上縁部と眉毛の下縁に該当する基準下縁部とを有している構成であり、請求項２は、その両眉形部がそれぞれ眉尻まで片持ち状に延びている構成である。
【０００９】
請求項３は、少なくとも１つの眉形部を備え、該眉形部は眉毛の上縁に該当する基準上縁部と眉毛の下縁に該当する基準下縁部とを有しており、前記基準上縁部と基準下縁部の少なくとも一方の基準縁部に沿った内面に複数の突部が設けられている構成であり、請求項４は、眉線を修正するときに眉に宛がう眉線修正補助具であって、少なくとも１つの眉形部を備え、該眉形部は眉毛の上縁に該当する基準上縁部と眉毛の下縁に該当する基準下縁部とを有しており、前記基準上縁部と基準下縁部の少なくとも一方の基準縁部の表面は眉形部の内面に対して直角よりも小さい角度をなすように傾斜している構成である。
【００１０】
請求項５は、眉線修正補助具はハンドルを備え、眉形部を眉に宛がったときに、顔から離れる方向にハンドルが延びている要素が前記請求項１乃至請求項４に限定的に付加された構成であり、請求項６は、眉形部とそのハンドルとの境目付近で眉形部の内面とハンドルとのなす角度がほぼ直角である構成である。請求項７は、眉形部とハンドルとの境にリブが設けられ、該リブは一対の眉形部の中央に位置している要素が請求項５又は請求項６に限定的に付加された構成である。
【００１１】
請求項８は、眉形部の内面が凹の湾曲をなすように延在している構成であり、請求項９は、眉形部内面の幅方向の中央付近に突起状目盛が設けられ、該目盛は眉形部の長さ方向に複数個設けられており、且つ目盛の高さは前記突部の高さよりも低いという要素が請求項１乃至請求項８に付加された構成である。
【００１２】
【発明の効果】
本発明は以上のような構成であって、請求項１は、一対の眉形部が両側に延び、眉形部は眉毛の上縁に該当する基準上縁部と眉毛の下縁に該当する基準下縁部とを有している。したがって、眉形部を眉に宛がうだけで不要の眉毛が眉形部がらはみ出るので、このはみ出た眉毛を基準縁部に沿って剃ったり抜いたりするだけで眉線を整えることができる。また、この補助具を眉に宛がったときに両眉の修正後の全体的な形態を一目で把握することができるので、失敗のない修正を行なうことができる。また、基準下縁部を有しているので、一度補助具を眉に宛がってしまえばそのままの状態で下縁部も修正することができる。従来は、補助具がないままでかみそりを眉に宛がうことに対し、失敗した場合のやり直しができないということの躊躇があったが、本発明によって失敗を確実に回避することができる。請求項２は、その両眉形部がそれぞれ眉尻まで片持ち状に延びている。したがって、補助具の眉尻がハンドルに支持されておらず、あるいは透明な部材に眉線が描かれているものでもないから本発明の眉形部は写実的であって、修正後の眉線を忠実に表示する。これによって、使用者は眉尻も含めた眉の全体的形態を正確に把握することができるので、好みの眉形を正確に選択することができる。
【００１３】
請求項３は、基準上縁部と基準下縁部の少なくとも一方の基準縁部に沿った内面に複数の突部が設けられている構成である。したがって、眉形部を眉に宛がうときに突部が眉を引っ掛けて眉形部から出す作用をなすので、眉線をきれいに整えることができる。さらに、突部が皮膚に当たることによって眉形部の内面が眉の表面を滑ることを防止できる。請求項４は、基準上縁部と基準下縁部の少なくとも一方の基準縁部の表面は眉形部の内面に対して直角よりも小さい角度をなすように傾斜している。したがって、かみそりや毛抜きを使用する際に、かみそりの刃や毛抜きの先端を基準縁部の縁にぴったり沿うように宛がうことができるので眉線を綺麗に整えることができる。
【００１４】
請求項５は、眉線修正補助具はハンドルを備え、眉形部を眉に宛がったときに、顔から離れる方向にハンドルが延びている。したがって、眉形部を比較的大きな力で眉に押し当てることができるから、使用中に補助具が動いてしまうことを防止できる。請求項６は、眉形部とそのハンドルとの境目付近で眉形部の内面とハンドルとのなす角度がほぼ直角である。これにより、使用中にハンドルが眉形部をほぼ直角に押すので補助具を確実に固定することができる。請求項７は、眉形部とハンドルとの境にリブが設けられ、該リブは一対の眉形部の中央に位置している。したがって、リブを目印として眉形部と顔の中心を合わせることができるから、眉をバランスよく整えることができる。
【００１５】
請求項８は、眉形部の内面が凹の湾曲をなすように延在しているから眉形部の内面を眉に密着することができる。したがって、眉をかみそり等で整えるときに眉線を眉形部通りに剃ることができる。請求項９は、眉形部内面の幅方向の中央付近に突起状の目盛が設けられ、該目盛は眉形部の長さ方向に複数個設けられ、且つ目盛の高さは突部の高さよりも低い構成である。したがって、眉の幅方向の中央部に目盛を合わせることによって、眉形部の上下方向の位置を正しく合わせることができる。また、目盛は突部よりも低いから、眉形部で眉を押さえたときに眉を整えることについて目盛が影響を与えることがない。
【００１６】
【発明の実施の形態】
次に本発明の実施の形態を図面に従って説明する。図１に示すように本発明はかみそり等を用いて眉線を修正するときに眉に宛がって使用する補助具であって、ハンドル１の上端に一対の眉形部２、２が一体に設けられ、当該眉形部２，２も一体に連結している。各眉形部２，２は透明なプラスチックで形成されそれぞれ両側に片持状に延びており、人の眉と同様に眉尻に向って徐々に幅が細くなるように形成されている。図５に示すように眉形部２，２は内面が凹の湾曲をなすように延びており、これは凸をなす顔の表面に合わせるためである。なお、眉形部２，２は半透明でもよくあるいは透明でなくてもよくプラスチック以外の材料で形成されてもよいことは勿論であるが、好ましくは半透明であることが望ましい。半透明の眉形部の外形を確認しながら眉を直接見ることができるからである。
【００１７】
各眉形部２，２の上縁は人の眉の上縁に該当する基準上縁部３を形成し、下縁は人の眉の下縁に該当する基準下縁部４，４を形成している。基準上縁部３に沿って眉毛を剃ったり抜いたりする等により眉毛の上縁を整えることができ、基準下縁部４，４によって眉毛の下縁を整えることができる。図８に示すように眉形部２，２は板状に形成され、基準縁部３，４は内面５に対して直角ではなく、それよりも小さい角度をなす傾斜面に形成されている。傾斜面に形成したことによりかみそりの刃や毛抜き等を基準縁部３，４の縁に宛がうことができるので、眉線をきれいに仕上げることができる。この傾斜面は平面状であってもよく湾曲していてもよいことは勿論である。眉形部２，２の端部６，６はやや丸みを帯びており、これは使用時に端部６，６で顔を傷つけることを防止するためである。さらに、端部６，６の内面を長手方向に斜めにカットして面取りをしたり、端部６，６の内面に水滴状の小さな突部を設けることにより、眉形部を眉に円滑に宛がうことができる。前述したように、眉形部２，２は板状に形成されているので可撓性を有している。したがって、眉形部２，２の曲率を平均的な顔の曲率よりも大きくしておけば、曲率が平均以下の使用者のときは眉形部２，２が撓むことによって対応できる。
【００１８】
眉形部の内面５には、基準上縁部３と基準下縁部４に沿って多数の小さな突部７，８が一体に設けられている。突部７，８の高さはほぼ０．７ｍｍであるがこの数値に限定されないことは勿論である。これらの突部７，８は、眉形部２を眉に宛がうときに、長く伸びている眉毛を突部７，８に引っ掛けて眉形部２から出し、かみそりで剃るためのものである。あるいは、突部７，８が皮膚に当たることによって眉形部の内面が眉の表面を滑ることを防止できる。突部７，８は当該突部が設けられている眉形部内面の湾曲中心に向う方向を向いていてもよいが、好ましくは図５及び図６に示したように図５の縦方向に延びる中心線と同じ方向を向くように設ける。これは、人の眉毛は眉尻に向って斜めに生えており、眉形部２を眉に宛がうときに、すべての突部７，８が前記中心線の方向に進むので、突部７，８が眉毛をその順方向に押さえる作用をなし、眉毛の自然な形で押さえて眉線を修正することができるからである。
【００１９】
図３に示すように、眉形部２の幅方向のほぼ中央に突起状の丸型目盛９，１０と三角目盛１１，１２が設けられている。これらの目盛は突部７，８よりも低く形成され、その高さはほぼ０．３ｍｍ程度であるがこの数値に限定されるものではない。目盛は眉形部２の幅方向のほぼ中心にあるから、人の眉の中心に合わすことによって眉形部２を眉の上下方向について最適の位置に合わすことができる。
【００２０】
中心寄りの三角目盛１１，１１は眉頭の幅方向の中心位置を示しており、端寄りの三角目盛１２，１２は眉山の幅方向の中心位置を示している。それらの三角目盛１１，１２の左右に設けられた丸型目盛９は、眉形部２の上下方向の位置を合わせるときの微調整のための目盛である。人によって眉の形は様々であるから三角目盛１１，１２の双方が眉の幅方向の中心に該当することはむしろ稀である。そのときに、微調整用の丸型目盛９を用いて三角目盛１１，１２付近の中心位置を加味することにより、眉形部２を最適の上下方向位置に合わせることができる。また、中心寄りの三角目盛１１と端寄りの三角目盛１２の間のほぼ中心に丸型目盛１０，１０が設けられている。この丸型目盛１０，１０も眉形部２を眉に宛がうときの目印として利用することができる。
【００２１】
本発明は、眉形部を眉に宛がったままで眉線をきれいに整えることができるが、人によっては眉の形が眉形部とかなり相違する場合がある。このようなときは、上述した目盛９，１０，１１，１２が特に役に立つのである。すなわち、これらの目盛は眉形部２の幅方向のほぼ中央にあるから、例えば三角目盛１２を眉の幅方向の中央に宛がった場合に他の目盛が眉の中央からかなり外れたときは、その外れた目盛を眉の幅方向の中央に位置するように眉形部をずらしながら眉線をかみそり等で整えれば、きれいな眉線を得ることができる。
【００２２】
前述した眉形部２，２はハンドル１の上端に一体に設けられている。ハンドルと眉形部を別体に形成してもよく、数種類の眉形部を用意してハンドルに着脱自在に取り付ける構成とすれば、人によって形の異なる種々の眉形に対応することができる。また、人によって眉の形の好みが異なるから、例えば通常の眉形であるナチュラル眉や、湾曲度の小さな女性的な眉形であるフェミニン眉や、湾曲度の大きな眉形であるアーチ眉を用意することにより需要者の要望に対応できる。あるいは、別体に形成せずにハンドル１が眉形部２に対して９０度回転可能したり、ハンドル１を折り畳み自在とすることにより携帯に便利なものとすることができる。
【００２３】
図７に示すようにハンドル１は眉形部２，２の中央から斜め下方に湾曲して延びている。したがって、図２に示すように、眉形部２，２を眉に宛がったときにハンドル１が鼻に当たることがなく、ハンドル１を持っている指が鼻に当たることもない。また、図７に示すようにハンドル１と眉形部２，２の境はほぼ直角をなしている。これにより、眉形部２，２を眉に宛がったときにハンドル１を押す力が顔に垂直に加わるから、使用時に補助具が顔の表面を滑ることがなく確実に固定することができる。
【００２４】
さらに、ハンドル１と眉形部２の境であって両眉形部２，２の中央にリブ１３が一体に設けられている。これにより補助具が補強されると共にリブ１３が両眉形部２，２の中央に設けられていることから、リブ１３が目印となって補助具を顔の中央に宛てがうことができる。
【図面の簡単な説明】
【図１】本発明の使用状態を示す正面図
【図２】本発明の使用状態を示す側面図
【図３】本発明の内面図
【図４】本発明の正面図
【図５】本発明の上面図
【図６】図５における眉形部の端部付近の拡大図
【図７】本発明の側面図
【図８】図３におけるＡ−Ａ拡大断面端面図
【符号の説明】
１  ハンドル
２  眉形部
３  基準上縁部
４  基準下縁部
５  内面
６  端部
７  突部
８  突部
９  丸型目盛
１０  丸型目盛
１１  三角目盛
１２  三角目盛
１３  リブ
【図１】
2004236969.tif 000003
【図２】
2004236969.tif 000004
【図３】
2004236969.tif 000005
【図４】
2004236969.tif 000006
【図５】
2004236969.tif 000007
【図６】
2004236969.tif 000008
【図７】
2004236969.tif 000009
【図８】
2004236969.tif 000010